(57)【要約】      （修正有）【課題】冷陰極蛍光ランプ用連結部材を提供する。【解決手段】内部導電体１７と、内部導電体１７の外部に設けられる絶縁層１８とを有する冷陰極蛍光ランプ用連結部材１であって、絶縁層１８には少なくとも１つのランプ挿入孔１４と、少なくとも１つのワイヤ挿入孔１６１，１６２が形成され、ランプ挿入孔１４とワイヤ挿入孔１６１、１６２は絶縁層１８に貫通すると共に、内部導電体１７の対応箇所までに延伸され、ランプ挿入孔１４には冷陰極蛍光ランプの末端と、冷陰極蛍光ランプの末端に設けられる電気接続ワイヤが挿設され、ワイヤ挿入孔１６１，１６２にはワイヤが挿設されることにより、電気接続ワイヤとワイヤとを内部導電体１７を介して電気的に接続することを特徴とする。【選択図】図２
0003147737.tif 000002
【実用新案登録請求の範囲】
【請求項１】
内部導電体と、前記内部導電体の外部に設けられる絶縁層とを備える冷陰極蛍光ランプ用連結部材であって、
前記絶縁層には少なくとも１つのランプ挿入孔と、少なくとも１つのワイヤ挿入孔が形成され、
前記ランプ挿入孔と前記ワイヤ挿入孔は前記絶縁層に貫通すると共に、前記内部導電体の所定箇所に対応して延伸され、
前記ランプ挿入孔には冷陰極蛍光ランプの末端と、前記冷陰極蛍光ランプの末端に設けられる電気接続ワイヤが挿設され、
前記ワイヤ挿入孔にはワイヤが挿設されることにより、前記電気接続ワイヤと前記ワイヤを前記内部導電体において電気的に接続することを特徴とする、冷陰極蛍光ランプ用連結部材。
【請求項２】
前記冷陰極蛍光ランプ用連結部材は、延伸柱体であることを特徴とする、請求項１に記載の冷陰極蛍光ランプ用連結部材。
【請求項３】
前記ワイヤは、ワイヤ本体と、ワイヤ挿入部を有するワイヤ延伸部とを備えることを特徴とする、請求項１に記載の冷陰極蛍光ランプ用連結部材。
【請求項４】
前記ワイヤは、フック部をさらに含むことを特徴とする、請求項３に記載の冷陰極蛍光ランプ用連結部材。
【請求項５】
前記ワイヤ挿入部は、金属ワイヤを備え、前記金属ワイヤの一端が挿入端であり、他端がワイヤ溶接端であり、前記ワイヤ溶接端は延伸ワイヤの溶接に供することを特徴とする、請求項３に記載の冷陰極蛍光ランプ用連結部材。
【請求項６】
内部導電体と、前記内部導電体の外部に設けられる絶縁層とを備える冷陰極蛍光ランプ用連結部材であって、
前記絶縁層には少なくとも一対のランプ挿入孔が形成され、前記ランプ挿入孔は前記絶縁層に貫通すると共に、前記内部導電体の所定箇所に対応して延伸され、
前記ランプ挿入孔には冷陰極蛍光ランプの末端と、前記冷陰極蛍光ランプの末端に設けられる電気接続ワイヤが挿設されることにより、前記冷陰極蛍光ランプの前記電気接続ワイヤは前記内部導電体に電気的に接続することを特徴とする、冷陰極蛍光ランプ用連結部材。
【請求項７】
前記冷陰極蛍光ランプ用連結部材は、延伸柱体であることを特徴とする、請求項６に記載の冷陰極蛍光ランプ用連結部材。
【考案の詳細な説明】
【技術分野】
【０００１】
本考案は冷陰極蛍光ランプに係り、特に冷陰極蛍光ランプ用連結部材に関するものである。
【背景技術】
【０００２】
冷陰極蛍光ランプ(Cold cathode fluorescent lamp，CCFL)は、電極に印加される高電圧により、電子が陰極端から放出して冷陰極蛍光ランプの内部における水銀原子と衝撃し、衝撃した水銀原子が過剰なエネルギーを紫外線として放射し、放射した紫外線がランプ内部の蛍光粉に吸収されて可視光へ変換されるようになっている。
【０００３】
該冷陰極蛍光ランプの発光原理は、高輝度と低発熱の特性を有するため、例えば液晶モニター(Liquid  Crystal  Display，LCD)のバックライトモジュール(Back  light  module)など電子デバイスの光源設備によく使用されている。
【０００４】
又、台湾特許公開第２００７２０７７８８号公報には、冷陰極蛍光ランプに用いられるランプ固定装置が開示されている。
【特許文献１】台湾特許公開第２００７２０７７８８号公報
【考案の開示】
【考案が解決しようとする課題】
【０００５】
しかしながら、該冷陰極蛍光ランプに用いられるランプ固定装置は、該固定装置のベースにおける孔と制限部によって冷陰極蛍光ランプをバックライトモジュールの底面における孔に固定できるが、該冷陰極蛍光ランプに発光するための電圧を提供することができず、又、該固定装置のベースにおける孔の設置位置も冷陰極蛍光ランプの排列位置が制限されるという問題があった。
【０００６】
そこで、案出されたのが本考案であって、導電や連接や絶縁功能を単一の部材に整合できる冷陰極蛍光ランプ用連結部材を提供することを主な目的としている。
【０００７】
本考案の他の目的は、ランプの連接とランクの組立や位置決め効果などの多機能を備える冷陰極蛍光ランプ用連結部材を提供することにある。
【課題を解決するための手段】
【０００８】
上記課題を解決するために、本考案の請求項１は、内部導電体と、前記内部導電体の外部に設けられる絶縁層とを備える冷陰極蛍光ランプ用連結部材であって、前記絶縁層には少なくとも１つのランプ挿入孔と、少なくとも１つのワイヤ挿入孔が形成され、前記ランプ挿入孔と前記ワイヤ挿入孔は前記絶縁層に貫通すると共に、前記内部導電体の所定箇所に対応して延伸され、前記ランプ挿入孔には冷陰極蛍光ランプの末端と、前記冷陰極蛍光ランプの末端に設けられる電気接続ワイヤが挿設され、前記ワイヤ挿入孔にはワイヤが挿設されることにより、前記電気接続ワイヤと前記ワイヤを前記内部導電体において電気的に接続することを特徴とする冷陰極蛍光ランプ用連結部材である。
【０００９】
本考案の請求項２は、本考案の請求項１に記載の冷陰極蛍光ランプ用連結部材において、前記冷陰極蛍光ランプ用連結部材は、延伸柱体である。
【００１０】
本考案の請求項３は、本考案の請求項１に記載の冷陰極蛍光ランプ用連結部材において、前記ワイヤは、ワイヤ本体と、ワイヤ挿入部を有するワイヤ延伸部とを備える。
【００１１】
本考案の請求項４は、本考案の請求項３に記載の冷陰極蛍光ランプ用連結部材において、前記ワイヤは、フック部をさらに含む。
【００１２】
本考案の請求項５は、本考案の請求項３に記載の冷陰極蛍光ランプ用連結部材において、前記ワイヤ挿入部は、金属ワイヤを備え、前記金属ワイヤの一端が挿入端であり、他端がワイヤ溶接端であり、前記ワイヤ溶接端は延伸ワイヤの溶接に供する。
【００１３】
本考案の請求項６は、内部導電体と、前記内部導電体の外部に設けられる絶縁層とを備える冷陰極蛍光ランプ用連結部材であって、前記絶縁層には少なくとも一対のランプ挿入孔が形成され、前記ランプ挿入孔は前記絶縁層に貫通すると共に、前記内部導電体の所定箇所に対応して延伸され、前記ランプ挿入孔には冷陰極蛍光ランプの末端と、前記冷陰極蛍光ランプの末端に設けられる電気接続ワイヤが挿設されることにより、前記冷陰極蛍光ランプの前記電気接続ワイヤは前記内部導電体に電気的に接続することを特徴とする冷陰極蛍光ランプ用連結部材である。
【００１４】
本考案の請求項７は、本考案の請求項６に記載の冷陰極蛍光ランプ用連結部材において、前記冷陰極蛍光ランプ用連結部材は、延伸柱体である。
【００１５】
即ち、本考案は、内部導電体と絶縁層からなる複合構造を有する延伸柱体の接続端子により、前記目的を達成するものであり、且つ前記接続端子の端子本体にランプ挿入孔とワイヤ挿入部が形成される。
【００１６】
また、本考案の設計では、ランプ挿入孔の電気接続ワイヤとワイヤ挿入部が端子本体の導電材料層に合流することができる。冷陰極蛍光ランプの電気接続ワイヤがワイヤ挿入部に挿入すると、ワイヤ挿入孔における金属ワイヤ、フック部、延伸ワイヤ、又はワイヤと電気的に接続するようになる。
【００１７】
さらに本考案の実施例においては、接続端子の端子本体は、内部導電体と絶縁層からなる複合構造を有する。前記端子本体におけるランプの接続面にランプ挿入孔が形成され、ワイヤの接続面にワイヤ挿入孔が形成される。前記ランプ挿入孔は外部から端子本体の内部に貫通すると共に、ランプ挿入部と電気接続ワイヤ挿入部を備えることにより、冷陰極蛍光ランプの一端と前記冷陰極蛍光ランプの前記一端に設けられる電気接続ワイヤを挿設することができる。
【００１８】
また、前記ワイヤ挿入孔に延伸ワイヤ部のワイヤ挿入部を挿入させ、前記ワイヤ挿入部が端子本体に貫通しながら、内部導電体においてランプ挿入孔における電気接続ワイヤ挿入部と電気的に接続することができる。前記延伸ワイヤ部は、ワイヤ挿入部を有する。前記ワイヤ挿入部の一端は、金属ワイヤを備え、前記金属ワイヤの一端には挿入端と、他端にはワイヤ溶接端が設けられ、前記ワイヤ溶接端の末端に延伸ワイヤが溶接される。前記延伸ワイヤ部は、前記挿入端を介して前記ワイヤ挿入孔に挿入すると共に、冷陰極蛍光ランプの電気接続ワイヤを電接続ワイヤ挿入部に挿入することにより、ワイヤ挿入孔に挿入した金属ワイヤと延伸ワイヤ部の延伸ワイヤとを電気的に接続することができる。
【考案の効果】
【００１９】
本考案は上記の課題を解決するものであり、内部導電体と絶縁層からなる複合構造を有する接続端子の端子本体に挿設される電気接続ワイヤ挿入部と、ワイヤ挿入孔とに、電気接続ワイヤと、金属ワイヤとを挿入することにより、内部導電体（電気接続領域）において両者を電気的に接続させることができ、漏電という問題も解決することができる。
【００２０】
接続端子のランプ挿入孔に含まれるランプ挿入部と電気接続ワイヤ挿入部に、冷陰極蛍光ランプの一端と該冷陰極蛍光ランプの前記一端に設けられる電気接続ワイヤを挿設することができるので、冷陰極蛍光ランプの一端に設けられる電気接続ワイヤが電気接続の機能を提供できる以外、冷陰極蛍光ランプの一端を固定する機能を果たすこともできる。
【考案を実施するための最良の形態】
【００２１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２２】
図１は本考案に係る冷陰極蛍光ランプ用連結部材の実施例１を示す斜視図であり、図２は、図１の２−２線の斜視断面図であり、図３は、本考案に係る冷陰極蛍光ランプ用連結部材の実施例１における接続構造を示す断面図であり、図４は、本考案に係る冷陰極蛍光ランプ用連結部材の実施例２を示す斜視図であり、図５は、図４の５−５線の断面図であり、図６は、本考案に係る冷陰極蛍光ランプ用連結部材の実施例２における接続構造を示す断面図であり、図７は、本考案に係る冷陰極蛍光ランプ用連結部材の実施例３を示す斜視図であり、図８は、図７の８−８線の断面図であり、図９は、本考案に係る冷陰極蛍光ランプ用連結部材の実施例３における接続構造を示す断面図であり、図１０は、本考案に係る冷陰極蛍光ランプ用連結部材の実施例４を示す斜視図であり、図１１は、図１０の１１−１１線の断面図である。
【実施例１】
【００２３】
図１に示すように、本考案に係る冷陰極蛍光ランプ用連結部材は、端子本体（１１）を有する接続端子（１）であり、前記端子本体（１１）は、複合構造からなる延伸柱体であると共に、その上にランプの接続面（１２）と、前記ランプの接続面（１２）と隣接するワイヤの接続面（１３）が設けられる。
【００２４】
前記端子本体（１１）の上端におけるランプの接続面（１２）にはランプ挿入孔（１４）が形成され、前記端子本体（１１）のワイヤの接続面（１３）にはワイヤ挿入孔（１６１、１６２）が形成される。
【００２５】
図２に示すように、前記接続端子（１）の端子本体（１１）は、内部導電体（１７）と絶縁層（１８）を有する複合構造からなるものであり、前記内部導電体（１７）は、前記端子本体（１１）の内部に設けられ、その外部に絶縁層（１８）が設けられる。
【００２６】
前記ランプ挿入孔（１４）は、前記端子本体（１１）のランプの接続面（１２）に形成されると共に、ランプ挿入部（１４１）と電気接続ワイヤ挿入部（１４２）とを含む。前記電気接続ワイヤ挿入部（１４２）は、前記ランプ挿入部（１４１）の末端と連結され、前記ランプ挿入部（１４１）の内径は、前記電気接続ワイヤ挿入部（１４２）の内径より大きい。
【００２７】
前記ランプ挿入孔（１４）のランプ挿入部（１４１）は、外部から内部へ前記絶縁層（１８）に貫通すると共に、内部導電体（１７）までに延伸され、前記ランプ挿入孔（１４）の電気接続ワイヤ挿入部（１４２）は、前記内部導電体（１７）におけるランプ挿入部（１４１）の下部に挿設される。
【００２８】
前記ワイヤ挿入孔（１６１、１６２）は、前記端子本体（１１）におけるワイヤの接続面（１３）の所定位置に形成され、且つ外部から内部へ前記絶縁層（１８）に貫通すると共に、内部導電体（１７）までに延伸される。
【００２９】
図３に示すように、前記冷陰極蛍光ランプ（２）におけるランプ本体（２１）の両端には夫々電気接続ワイヤ（２２）が設けられ、前記電気接続ワイヤ（２２）は前記接続端子（１）のランプ挿入孔（１４）に挿入することができ、又、前記接続端子（１）のワイヤ挿入孔（１６１、１６２）は、夫々延伸ワイヤ部（３、４）の設置孔として使用することができる。
【００３０】
前記接続端子（１）のランプ挿入孔（１４）に前記冷陰極蛍光ランプ（２）を挿入すると、前記冷陰極蛍光ランプ（２）のランプ本体（２１）と、その末端に設置される電気接続ワイヤ（２２）が夫々ランプ挿入孔（１４）のランプ挿入部（１４１）と電気接続ワイヤ挿入部（１４２）に挿設されるようになる。
【００３１】
前記延伸ワイヤ部（３、４）は、ワイヤ挿入部（３１、４１）を有し、前記ワイヤ挿入部（３１、４１）の一端が金属ワイヤ（３１１、４１１）である。前記金属ワイヤ（３１１、４１１）の末端は、挿入端（３１２、４１２）である。前記ワイヤ挿入部（３１、４１）の他端にはワイヤ溶接端（３２、４２）が設けられ、前記ワイヤ溶接端（３２、４２）の末端には延伸ワイヤ（３２１、４２１）が溶接される。
【００３２】
前記接続端子（１）のワイヤ挿入孔（１６１、１６２）は、夫々延伸ワイヤ部（３、４）の設置孔として使用することができ、前記金属ワイヤ（３１１、４１１）の末端における挿入端（３１２、４１２）は前記ワイヤ挿入孔（１６１、１６２）に挿入することができる。
【００３３】
本考案の設計では、ランプ挿入孔（１４）の電気接続ワイヤ挿入部（１４２）とワイヤ挿入孔（１６１、１６２）とは、前記端子本体（１１）の内部導電体（１７）に接続することができ、これにより、前記電気接続ワイヤ挿入部（１４２）における電気接続ワイヤ（２２）と、前記延伸ワイヤ部（３）の延伸ワイヤ（３２１）とを内部導電体（１７）において電気的に接続することができる。
【００３４】
又、前記冷陰極蛍光ランプ（２）のランプ本体（２１）には、収容空間（２３）が形成され、前記電気接続ワイヤ（２２）が前記冷陰極蛍光ランプ（２）の末端に設けられると共に、前記ランプ本体（２１）における収容空間（２３）の内部までに延伸される。
【００３５】
前記収容空間（２３）の内部に延伸される電気接続ワイヤ（２２）の末端に電極（２２１）が設けられ、前記電極（２２１）は、前記電気接続ワイヤ部（１４２）に設けられる電気接続ワイヤ（２２）と、前記ワイヤ挿入部（３１）の金属ワイヤ（３１１）を設置するワイヤ挿入孔（１６１）とを通じて異なる導電性を有する延伸ワイヤ（３２１）と連結することができる。
【実施例２】
【００３６】
図４に示すように、本考案の実施例２における接続端子（１ａ）は、ランプの接続面（１２）とワイヤの接続面（１３）とを有する。ランプ挿入孔（１４）は、前記端子本体（１１ａ）のランプの接続面（１２）に形成されると共に、ランプ挿入部（１４１）と電気接続ワイヤ部（１４２）を有することにより、ランプ本体（２１）の一端と電気接続ワイヤ（２２）を設置することができる。
【００３７】
ワイヤ挿入孔（１９）は、前記端子本体（１１ａ）のワイヤの接続面（１２）に形成されると共に、前記ワイヤ挿入孔にはワイヤ挿入部（１９１）とワイヤ位置決め部（１９２）を設けることにより、ワイヤ（５）と、その先端に設けられるフック部（５１）を取り付けることができる。
【００３８】
図５及び図６に示すように、接続端子（１ａ）の端子本体（１１ａ）は、内部導電体（１７）と、前記内部導電体（１７）の外部に設けられる絶縁層（１８）とを有する。
【００３９】
ランプ挿入孔（１４）のランプ挿入部（１４１）は、前記絶縁層（１８）に貫通すると共に、前記内部導電体（１７）までに延伸され、前記電気接続ワイヤ挿入部（１４２）は、前記内部導電体（１７）に形成される。又、ワイヤ挿入孔（１９）のワイヤ挿入部（１９１）は、前記絶縁層（１８）に貫通すると共に、前記内部導電体（１７）までに延伸され、前記電気接続ワイヤ位置決め部（１９２）は、前記内部導電体（１７）に形成される。
【実施例３】
【００４０】
図７に示すように、本考案の実施例３における接続端子（１ｂ）は、ランプの接続面（１２）とワイヤの接続面（１３）を有する。
【００４１】
前記ランプ挿入孔（１４）は、前記端子本体（１１ｂ）のランプの接続面（１２）に形成されると共に、ランプ挿入部（１４１）と電気接続ワイヤ挿入部（１４２）を備える。これにより、ランプ本体（２１）の一端と電気接続ワイヤ（２２）を取り付けることができる。
【００４２】
前記ワイヤ挿入孔（１９）は、前記端子本体（１１ｂ）のワイヤの接続面（１３）に形成されると共に、ワイヤ挿入部（１９１）とワイヤ位置決め部（１９２）を備える。これにより、ワイヤ（５）と、その先端に設けられるフック部（５１）を取り付けることができる。
【００４３】
図８及び図９に示すように、接続端子（１ｂ）の端子本体（１１ｂ）は、内部導電体（１７）と、前記内部導電体（１７）の外部に設けられる絶縁層（１８）とを有する。
【００４４】
ランプ挿入孔（１４）のランプ挿入部（１４１）は、前記絶縁層（１８）に貫通すると共に、前記内部導電体（１７）までに延伸され、前記電気接続ワイヤ挿入部（１４２）は、前記内部導電体（１７）に形成される。
【００４５】
又、ワイヤ挿入孔（１９）のワイヤ挿入部（１９１）は、前記絶縁層（１８）に貫通すると共に、前記内部導電体（１７）までに延伸される。
【００４６】
本考案の設計では、ランプ挿入孔（１４）の電気接続ワイヤ挿入部（１４２）とワイヤ挿入孔（１９）とは、前記端子本体（１１）の内部導電体（１７）において接続することができ、これにより、前記電気接続ワイヤ挿入部（１４２）における電気接続ワイヤ（２２）と、前記ワイヤ位置決め部（１９２）のワイヤ（５）とを内部導電体（１７）を介して電気的に接続することができる。
【実施例４】
【００４７】
図１０に示すように、本考案の実施例４における接続端子（１ｃ）の端子本体（１１ｃ）は、隣接するランプの接続面（１２、１２１）を有すると共に、前記ランプの接続面（１２、１２１）にはランプ挿入孔（１４、１５）が夫々形成される。
【００４８】
前記ランプ挿入孔（１４、１５）は、ランプ挿入部（１４１、１５１）と電気接続ワイヤ挿入部（１４２、１５２）を備える。これにより、ランプ本体（２１、６１）の一端と、前記ランプ本体（２１、６１）の一端に設けられる電気接続ワイヤ（２２、６２）を取り付けることができる（図１１を参照）。
【００４９】
図１１に示すように、接続端子（１ｃ）の端子本体（１１ｃ）は、内部導電体（１７）と、前記内部導電体（１７）の外部に設けられる絶縁層（１８）とを備える。
【００５０】
前記ランプ挿入孔（１４、１５）のランプ挿入部（１４１、１５１）は、前記絶縁層（１８）に貫通すると共に、前記内部導電体（１７）までに延伸される。
【図面の簡単な説明】
【００５１】
【図１】本考案に係る冷陰極蛍光ランプ用連結部材の実施例１の斜視図
【図２】図１の２−２線の斜視断面図
【図３】本考案に係る冷陰極蛍光ランプ用連結部材の実施例１の接続構造の断面図
【図４】本考案に係る冷陰極蛍光ランプ用連結部材の実施例２の斜視図
【図５】図４の５−５線の断面図
【図６】本考案に係る冷陰極蛍光ランプ用連結部材の実施例２の接続構造の断面図
【図７】本考案に係る冷陰極蛍光ランプ用連結部材の実施例３の斜視図
【図８】図７の８−８線の断面図
【図９】本考案に係る冷陰極蛍光ランプ用連結部材の実施例３の接続構造の断面図
【図１０】本考案に係る冷陰極蛍光ランプ用連結部材の実施例４の斜視図
【図１１】図１０の１１−１１線の断面図
【符号の説明】
【００５２】
１      接続端子
１ａ    接続端子
１ｂ    接続端子
１ｃ    接続端子
１１    端子本体
１１ａ  端子本体
１１ｂ  端子本体
１１ｃ  端子本体
１２    ランプの接続面
１２１  ランプの接続面
１３    ワイヤの接続面
１４    ランプ挿入孔
１４１  ランプ挿入部
１４２  電気接続ワイヤ挿入部
１５    ランプ挿入孔
１５１  ランプ挿入部
１５２  電気接続ワイヤ挿入部
１６１  ワイヤ挿入孔
１６２  ワイヤ挿入孔
１７    内部導電体
１８    絶縁層
１９    ワイヤ挿入孔
１９１  ワイヤ挿入部
１９２  ワイヤ位置決め部
２      冷陰極蛍光ランプ
２１    ランプ本体
２２    電気接続ワイヤ
２２１  電極
２３    収容空間
３      延伸ワイヤ部
３１    ワイヤ挿入部
３１１  金属ワイヤ
３１２  挿入端
３２    ワイヤ溶接端
３２１  延伸ワイヤ
４      延伸ワイヤ部
４１    ワイヤ挿入部
４１１  金属ワイヤ
４１２  挿入端
４２    ワイヤ溶接端
４２１  延伸ワイヤ
５      ワイヤ
５１    フック部
６      冷陰極蛍光ランプ
６１    ランプ本体
６２    電気接続ワイヤ
【図１】
0003147737.tif 000003
【図２】
0003147737.tif 000004
【図３】
0003147737.tif 000005
【図４】
0003147737.tif 000006
【図５】
0003147737.tif 000007
【図６】
0003147737.tif 000008
【図７】
0003147737.tif 000009
【図８】
0003147737.tif 000010
【図９】
0003147737.tif 000011
【図１０】
0003147737.tif 000012
【図１１】
0003147737.tif 000013